(57)【要約】【課題】本発明は、電池の電極表面における導通状態を一段と改善できるようにする。【解決手段】本発明は、電源部２１と、電源部２１の電源電圧により第１のコンデンサ２５に蓄積した所定容量の電荷を利用し、第１のコンデンサ２５と接続された第１のプローブ２２を介して電池１の正極１１表面に付着した付着物を除去するための第１の放電現象を正極１１表面で生じさせる第１の付着物除去系と、電源部２１の電源電圧により第２のコンデンサ２６に蓄積した所定容量の電荷を利用し、第２のコンデンサ２６と接続された第２のプローブ２３を介して電池１の負極９表面に付着した付着物を除去するための第２の放電現象を負極９表面で生じさせる第２の付着物除去系とを設けるようにする。【選択図】        図４
2004296318.tif 000002
【特許請求の範囲】
【請求項１】
電源部の電源電圧により第１のコンデンサに蓄積した所定容量の電荷を利用し、上記第１のコンデンサと接続された第１のプローブを介して電池の正極表面に付着した付着物を除去するための第１の放電現象を上記正極表面で生じさせる第１の付着物除去系と、
上記電源部の電源電圧により第２のコンデンサに蓄積した所定容量の電荷を利用し、上記第２のコンデンサと接続された第２のプローブを介して上記電池の負極表面に付着した付着物を除去するための第２の放電現象を上記負極表面で生じさせる第２の付着物除去系と
を具えることを特徴とする電極表面導通状態改善装置。
【請求項２】
電池の充電装置において、
上記電池を充電するための電源部と、
上記電源部の電源電圧により第１のコンデンサに蓄積した所定容量の電荷を利用し、上記第１のコンデンサと接続された第１のプローブを介して電池の正極表面に付着した付着物を除去するための第１の放電現象を上記正極表面で生じさせる第１の付着物除去系と、
上記電源部の電源電圧により第２のコンデンサに蓄積した所定容量の電荷を利用し、上記第２のコンデンサと接続された第２のプローブを介して上記電池の負極表面に付着した付着物を除去するための第２の放電現象を上記負極表面で生じさせる第２の付着物除去系と
を具え、
上記第１及び第２の付着物除去系によって上記付着物を除去した後に、上記第１のプローブ及び上記第２のプローブを介して上記電池を充電する
ことを特徴とする電池の充電装置。
【請求項３】
電池を充電し当該充電後の充電状態を検査する電池の充電検査装置において、
上記電池を充電するための電源部と、
上記電源部の電源電圧により第１のコンデンサに蓄積した所定容量の電荷を利用し、上記第１のコンデンサと接続された第１のプローブを介して電池の正極表面に付着した付着物を除去するための第１の放電現象を上記正極表面で生じさせる第１の付着物除去系と、
上記電源部の電源電圧により第２のコンデンサに蓄積した所定容量の電荷を利用し、上記第２のコンデンサと接続された第２のプローブを介して上記電池の負極表面に付着した付着物を除去するための第２の放電現象を上記負極表面で生じさせる第２の付着物除去系と、
上記第１及び第２の付着物除去系によって上記付着物を除去した後に、上記第１のプローブ及び上記第２のプローブを介して充電された上記電池の充電状態を検査する充電状態検査手段と
を具えることを特徴とする電池の充電検査装置。
【発明の詳細な説明】
【０００１】
【発明の属する技術分野】
本発明は電極表面導通状態改善装置、電池の充電装置及び電池の充電検査装置に関し、例えば非水電解液二次電池における電極表面の導通状態を改善して充電及びその検査を行う場合等に適用して好適なものである。
【０００２】
【従来の技術】
従来、非水電解液二次電池においては、正極用活物質として、リチウムコバルト複合酸化物のようなリチウム複合酸化物が用いられ、負極用活物質としては、炭素素材等のようなリチウムイオンのドープ及び脱ドープの可能な物質が用いられている。
【０００３】
そして非水電解液二次電池においては、これら正極用活物質と負極用活物質とを反応させて電池として機能するものであり、比較的高い電池電圧が得られると共に、比較的高いエネルギー密度を有し、充放電のサイクル特性にも優れている等の多数の利点を有することにより、近年、広く利用されている。
【０００４】
実際上、図９に示すように、非水電解液二次電池１においては、帯状のアルミニウム箔等でなる正極用集電体（図示せず）の両面に正極用活物質が被膜状に塗布されて形成された正極２と、帯状の銅箔等でなる負極用集電体の両面に負極用活物質が被膜状に塗布されて形成された負極３とを帯状の微多孔性ポリプロピレンフィルムでなる２枚の第１及び第２のセパレータ４及び５を介して互いに絶縁した状態で巻回して形成された巻回電極体６を有し、その正極２の巻回開始部分に正極リード７が溶接されると共に、負極３の巻回終了部分に負極リード８が溶接されている。
【０００５】
また、非水電解液二次電池１においては、円筒状の負極缶９の内部に巻回電極体６が嵌挿されて負極リード８がその負極燗の底部に電気的及び機械的に接続されると共に、当該負極缶９に非水電解液（図示せず）が充填されて第１及び第２のセパレータ４及び５に含浸されている。
【０００６】
そして、非水電解液二次電池１においては、負極缶９の開口部に安全弁１０及び正極蓋１１が一体に嵌合されて気密封止され、当該正極蓋１１に正極リード７が電気的及び機械的に接続されている。
【０００７】
これにより非水電解液二次電池１においては、内部の正極２及び負極３（すなわち正極用活物質及び負極用活物質）の放電反応によって生じる電池電圧を負極缶９及び正極蓋１１を介して外部に出力し得るようになされている。
【０００８】
このような非水電解液二次電池１においては、製造工程中に当該非水電解液二次電池１の充放電を検査する充放電検査工程が存在し、一般にコンタクトプローブと呼ばれる先端が尖った形状を有する正極用プローブ及び負極用プローブを正極蓋１１及び負極缶９に対して電気的に接触させることにより充放電検査を行っていた。
【０００９】
【発明が解決しようとする課題】
ところでかかる構成の非水電解液二次電池１においては、正極蓋１１及び負極缶９とコンタクトプローブとを電気的に接触させる部分の表面に酸化被膜等の付着物が付着されていると良好な電気的導通状態が得られず、コンタクトプローブを介した充放電が正常に行われなかったり、又は充放電を行うのに長時間を要する等の不都合が生じるという問題があった。
【００１０】
本発明は以上の点を考慮してなされたもので、電池の電極表面における導通状態を一段と改善し得る電極表面導通状態改善装置、電池の充電装置及び電池の充電検査装置を提案しようとするものである。
【００１１】
【課題を解決するための手段】
かかる課題を解決するため本発明においては、電源部の電源電圧により第１のコンデンサに蓄積した所定容量の電荷を利用し、第１のコンデンサと接続された第１のプローブを介して電池の正極表面に付着した付着物を除去するための第１の放電現象を正極表面で生じさせる第１の付着物除去系と、電源部の電源電圧により第２のコンデンサに蓄積した所定容量の電荷を利用し、第２のコンデンサと接続された第２のプローブを介して電池の負極表面に付着した付着物を除去するための第２の放電現象を負極表面で生じさせる第２の付着物除去系とを設けるようにする。
【００１２】
これにより、電池の正極表面及び負極表面に付着した付着物を当該正極表面及び負極表面で第１のプローブ及び第２のプローブを介して発生させる放電現象を利用して物理的に除去し、電池の電極表面における導通状態を改善することができる。
【００１３】
また本発明においては、電池の充電装置において、電池を充電するための電源部と、電源部の電源電圧により第１のコンデンサに蓄積した所定容量の電荷を利用し、第１のコンデンサと接続された第１のプローブを介して電池の正極表面に付着した付着物を除去するための第１の放電現象を正極表面で生じさせる第１の付着物除去系と、電源部の電源電圧により第２のコンデンサに蓄積した所定容量の電荷を利用し、第２のコンデンサと接続された第２のプローブを介して電池の負極表面に付着した付着物を除去するための第２の放電現象を負極表面で生じさせる第２の付着物除去系とを具え、第１及び第２の付着物除去系によって付着物を除去した後に、第１のプローブ及び第２のプローブを介して電池を充電するようにする。
【００１４】
これにより、電池の正極表面及び負極表面に付着した付着物を当該正極表面及び負極表面で第１のプローブ及び第２のプローブを介して発生させる放電現象を利用して物理的に除去し、電池の電極表面における導通状態を改善した状態で、当該第１のプローブ及び第２のプローブを用いて電池を充電することができるので、第１のプローブ及び第２のプローブを放電現象の発生用及び充電用を兼用させた簡易な構成で電池の電極表面における導通状態を改善することができる。
【００１５】
さらに本発明においては、電池を充電し当該充電後の充電状態を検査する電池の充電検査装置において、電池を充電するための電源部と、電源部の電源電圧により第１のコンデンサに蓄積した所定容量の電荷を利用し、第１のコンデンサと接続された第１のプローブを介して電池の正極表面に付着した付着物を除去するための第１の放電現象を正極表面で生じさせる第１の付着物除去系と、電源部の電源電圧により第２のコンデンサに蓄積した所定容量の電荷を利用し、第２のコンデンサと接続された第２のプローブを介して電池の負極表面に付着した付着物を除去するための第２の放電現象を負極表面で生じさせる第２の付着物除去系と、第１及び第２の付着物除去系によって付着物を除去した後に、第１のプローブ及び第２のプローブを介して充電された電池の充電状態を検査する充電状態検査手段とを設けるようにする。
【００１６】
これにより、電池の正極表面及び負極表面に付着した付着物を当該正極表面及び負極表面で第１のプローブ及び第２のプローブを介して発生させる放電現象を利用して物理的に除去し、電池の電極表面における導通状態を改善した状態で、当該第１のプローブ及び第２のプローブを用いて電池を充電し、その充電状態を検査することができるので、第１のプローブ及び第２のプローブを放電現象の発生用及び充電用を兼用させた簡易な構成で電池の電極表面における導通状態を改善して充電できると共にその後直ちに充電検査を実行することができる。
【００１７】
【発明の実施の形態】
以下、図面について、本発明の一実施の形態を詳述する。
【００１８】
図１において、２０は全体として本発明を適用した充電検査装置を示し、電源部２１のプラス電極と電気的に接続された第１のプローブとしての充電用正極プローブ２２及び電源部２１のマイナス電極と電気的に接続された第２のプローブとしての充電用負極プローブ２３が非水電解液二次電池１（図９）の正極蓋１１及び負極缶９の表面とそれぞれ電気的に接続された状態で当該非水電解液二次電池１を充電するようになされている。
【００１９】
また充電検査装置２０においては、充電用正極プローブ２２及び充電用負極プローブ２３に接続され、非水電解液二次電池１の端子間電圧を検出するための電圧計３１が設けられている。
【００２０】
従って充電検査装置２０は、電源部２１のプラス電極及び充電用正極プローブ２２間に設けられたスイッチ２４をオフした状態で、当該電圧計３１によって非水電解液二次電池１の端子間電圧を検出することにより、電源部２１によって充電した非水電解液二次電池１の充電状態を検査し得るようになされている。
【００２１】
ところで充電検査装置２０においては、電源部２１のプラス電極と第１の電界コンデンサ２５におけるプラス端子とが電気的に接続され、当該第１の電界コンデンサ２５におけるマイナス端子と非水電解液二次電池１の正極蓋１１とがスパーク形成用プローブ２７を介して電気的に接続され得るようになされている。
【００２２】
また充電検査装置２０においては、電源部２１のマイナス電極と第２の電解コンデンサ２６におけるマイナス端子とが電気的に接続され、当該第２の電解コンデンサ２６におけるプラス端子と非水電解液二次電池１の負極缶９とがスパーク形成用プローブ２８を介して電気的に接続され得るようになされている。
【００２３】
なお充電検査装置２０においては、第１の電界コンデンサ２５におけるプラス端子と第２の電解コンデンサ２６におけるプラス端子との間に第１のリレー２９が設けられると共に、第１の電界コンデンサ２５におけるマイナス端子と第２の電解コンデンサ２６におけるマイナス端子との間に第２のリレー３０が設けられている。
【００２４】
次に、かかる構成の充電検査装置２０によって非水電解液二次電池１の正極蓋１１及び負極缶９の表面に付着した酸化被膜等の付着物を充電用正極プローブ２２及び充電用負極プローブ２３を介して物理的に除去するまでの手順について以下の図２〜図４を用いて段階的に説明する。
【００２５】
実際上、充電検査装置２０においては、第１の電界コンデンサ２５及び第２の電界コンデンサ２６に対する電荷蓄積モード、非水電解液二次電池１における正極蓋１１及び負極缶９の電極表面の導通状態を充電用正極プローブ２２及び充電用負極プローブ２３により発生させるスパーク（放電）で改善するためのスパークモードに分けて説明する。
【００２６】
図２に示すように、電荷蓄積モードにおいて充電検査装置２０は、まず充電用正極プローブ２２及び充電用負極プローブ２３、スパーク形成用プローブ２７及びスパーク形成用プローブ２８を非水電解液二次電池１の正極蓋１１及び負極缶９に対して電気的に切断した状態に設定する。
【００２７】
また同時に充電検査装置２０は、第１のリレー２９及び第２のリレー３０の双方共にオンした状態で、かつスイッチ２４をオンした状態に設定する。
【００２８】
これにより充電検査装置２０は、電源部２１のプラス電極、スイッチ２４、第１の電界コンデンサ２５、第２のリレー３０及び電源部２１のマイナス電極によって当該第１の電界コンデンサ２５に対して電荷を蓄積する第１の電荷蓄積経路を形成すると共に、電源部２１のプラス電極、スイッチ２４、第１のリレー２９及び第２の電界コンデンサ２６及び電源部２１のマイナス電極によって当該第２の電界コンデンサ２６に対して電荷を蓄積する第２の電荷蓄積経路を形成するようになされている。
【００２９】
この結果、充電検査装置２０は非水電解液二次電池１に対する充電を行う前段階として、電源部２１からの電源電圧によって第１の電界コンデンサ２５及び第２の電界コンデンサ２６に対して所定容量の電荷を蓄積し得るようになされている。
【００３０】
次に図３に示すように、第１のスパークモードとして充電検査装置２０は、電荷蓄積モードとは逆に、第１のリレー２９及び第２のリレー３０の双方共にオフした状態で、かつスイッチ２４をオフした状態に設定する。
【００３１】
同時に充電検査装置２０は、スパーク形成用プローブ２７及びスパーク形成用プローブ２８だけを非水電解液二次電池１の正極蓋１１及び負極缶９の表面にそれぞれ電気的に接触させた状態に設定する。
【００３２】
次に図４に示すように、第２のスパークモードとして充電検査装置２０は、第１のスパークモードを維持した状態のまま、充電用正極プローブ２２及び充電用負極プローブ２３を非水電解液二次電池１の正極蓋１１及び負極缶９の表面に接触させるよう近づけていく。
【００３３】
このとき充電検査装置２０は、充電用正極プローブ２２及び充電用負極プローブ２３の先端部分を非水電解液二次電池１の正極蓋１１及び負極缶９の表面に極めて近づいた時点で、充電用正極プローブ２２及び充電用負極プローブ２３の先端部分と正極蓋１１及び負極缶９の表面との間の電位差によって、充電用正極プローブ２２及び充電用負極プローブ２３の先端部分と正極蓋１１及び負極缶９の表面との間の空気の絶縁性が失われ、当該正極蓋１１及び負極缶９の表面でスパーク（放電現象）が生じることになる。
【００３４】
その後、充電検査装置２０は、充電用正極プローブ２２及び充電用負極プローブ２３の先端部分と非水電解液二次電池１の正極蓋１１及び負極缶９の表面とが接触して電気的に導通し、第１の電界コンデンサ２５及び第２の電解コンデンサ２６による電流ｉ１及び電流ｉ２（太矢印）が流れ、当該第１の電界コンデンサ２５及び第２の電解コンデンサ２６による第２のスパークモードが終了する。
【００３５】
このように充電検査装置２０は、第１の電界コンデンサ２５及び第２の電解コンデンサ２６における電荷を利用して当該充電用正極プローブ２２及び充電用負極プローブ２３によってスパーク（放電現象）を生じさせることにより、当該非水電解液二次電池１における正極蓋１１及び負極缶９の表面に付着した酸化被膜等の付着物を当該スパークによって物理的に弾き飛ばすようになされている。
【００３６】
最後に図５に示すように、充電モードとして充電検査装置２０は、第１のリレー２９及び第２のリレー３０をオフした状態のまま、スイッチ２４をオンした状態に設定し、電源部２１によって非水電解液二次電池１に充電電流ｉ３を流すことにより、当該非水電解液二次電池１を充電するようになされている。
【００３７】
以上の構成において、充電検査装置２０は、新たに設けた第１の電界コンデンサ２５及び第２の電解コンデンサ２６に対して所定容量の電荷を蓄積し（図２）、スパーク形成用プローブ２７及び２８を非水電解液二次電池１の正極蓋１１及び負極缶９に電気的に接続した後（図３）、非水電解液二次電池１を充電するための充電用正極プローブ２２及び充電用負極プローブ２３を非水電解液二次電池１の正極蓋１１及び負極缶９に近づけていく（図４）。
【００３８】
これにより充電検査装置２０は、充電用正極プローブ２２、非水電解液二次電池１の正極蓋１１、スパーク用正極プローブ２７、第１の電界コンデンサ２５による閉ループを構築し、これを第１の付着物除去系として用いると共に、充電用正極プローブ２３、非水電解液二次電池１の負極缶９、スパーク用負極プローブ２８、第２の電界コンデンサ２６による閉ループを構築し、これを第２の付着物除去系として用いることができる。
【００３９】
そして充電検査装置２０は、充電用正極プローブ２２及び充電用負極プローブ２３の先端部分と、非水電解液二次電池１の正極蓋１１及び負極缶９の表面とを近づけたときに発生するスパークによって、当該正極蓋１１及び負極缶９の表面に付着した酸化被膜等の付着物を物理的に弾き飛ばして除去することができる。
【００４０】
このように充電検査装置２０は、充電用正極プローブ２２及び充電用負極プローブ２３の先端部分と電気的に接触する非水電解液二次電池１における正極蓋１１及び負極缶９の表面に付着した酸化被膜等の付着物を、当該充電用正極プローブ２２及び充電用負極プローブ２３の先端部分で発生するスパークにより直接除去することができるので、実際の充電に用いられる充電用正極プローブ２２及び充電用負極プローブ２３と非水電解液二次電池１における正極蓋１１及び負極缶９との導通状態を良好にすることができる。
【００４１】
また充電検査装置２０は、実際の充電に用いられる充電用正極プローブ２２及び充電用負極プローブ２３を兼用して第１の付着物除去系及び第２の付着物除去系を形成していることにより、回路規模の増大を抑制し得ると共に回路構成を簡素化することができる。
【００４２】
以上の構成によれば、充電検査装置２０は、充電に用いられる充電用正極プローブ２２及び充電用負極プローブ２３の先端部分と、非水電解液二次電池１の正極蓋１１及び負極缶９の表面とを近づけたときに発生するスパークによって、当該正極蓋１１及び負極缶９の表面に付着した酸化被膜等の付着物を物理的に弾き飛ばして除去することができる。
【００４３】
これにより充電検査装置２０は、充電用正極プローブ２２及び充電用負極プローブ２３と、非水電解液二次電池１の正極蓋１１及び負極缶９の表面との導通状態を改善することができ、かくして充電を正常に行うことができると共に、充電時間の短縮化を図ることができる。
【００４４】
なお上述の実施の形態においては、本発明を電極表面導通状態改善装置としての充電検査装置２０によって非水電解液二次電池１を充電する際の導通状態を改善するようにした場合について述べたが、本発明はこれに限らず、非水電解液二次電池１の放電状態を検査する際の導通状態を改善するようにしても良い。
【００４５】
また上述の形態においては、充電検査装置２０が正極蓋１１及び負極缶９の電極表面に付着した付着物を除去する対象として非水電解液二次電池１を用いるようにした場合について述べたが、本発明はこれに限らず、１次電池を用いるようにしても良い。この場合、充電検査装置２０としては、あくまで電極表面の付着物を除去するだけである。
【００４６】
さらに上述の実施の形態においては、本発明の充電検査装置２０として図１に示したような回路構成を用いるようにした場合について述べたが、本発明はこれに限らず、例えば図６、図７及び図８に示すような回路構成の他、その他種々の回路構成を用いるようにしても良い。
【００４７】
図１との対応部分に同一符号を付して示す図６に示すように、充電検査装置５０は、第１の電界コンデンサ２５のマイナス端子と電源部２１のマイナス電極との間に第１のリレー５１が設けられ、第２の電界コンデンサ２６のプラス端子と電源部２１のプラス電極との間に第２のリレー５２が設けられた回路構成を有する。
【００４８】
この場合も充電検査装置５０は、充電検査装置２０（図１）と同様に非水電解液二次電池１の正極蓋１１及び負極缶９の表面でスパークを発生させ、当該正極蓋１１及び負極缶９の表面に付着した付着物を物理的に弾き飛ばして除去することができる。
【００４９】
図１との対応部分に同一符号を付して示す図７に示すように、充電検査装置６０は、第２の電界コンデンサ２６のプラス端子と電源部２１のプラス電極との間に第１のリレー６１が設けられ、第１の電界コンデンサ２５のマイナス端子と電源部２１のマイナス電極との間に第２のリレー６２が設けられた回路構成を有する。
【００５０】
この場合も充電検査装置６０は、充電検査装置２０（図１）と同様に非水電解液二次電池１の正極蓋１１及び負極缶９の表面でスパークを発生させ、当該正極蓋１１及び負極缶９の表面に付着した付着物を物理的に弾き飛ばして除去することができる。
【００５１】
図１との対応部分に同一符号を付して示す図８に示すように、充電検査装置７０は、第１の電界コンデンサ２５のマイナス端子と電源部２１のマイナス電極との間に第１のリレー７１が設けられ、第２の電界コンデンサ２６のプラス端子と電源部２１のプラス電極との間に第２のリレー７２が設けられた回路構成を有する。
【００５２】
この場合も充電検査装置７０は、充電検査装置２０（図１）と同様に非水電解液二次電池１の正極蓋１１及び負極缶９の表面でスパークを発生させ、当該正極蓋１１及び負極缶９の表面に付着した付着物を物理的に弾き飛ばして除去することができる。
【００５３】
さらに上述の実施の形態においては、第１のプローブとしての充電用正極プローブ２２及び第２のプローブとしての充電用負極プローブ２３における先端部分を介して非水電解液二次電池１の正極蓋１１及び負極缶９の表面でスパークを発生させるようにした場合について述べたが、本発明はこれに限らず、スパーク用正極プローブ２７及びスパーク用負極プローブ２８における先端部分を介して非水電解液二次電池１の正極蓋１１及び負極缶９の表面でスパークを発生させるようにしても良い。
【００５４】
さらに上述の実施の形態においては、本発明を充電検査装置２０に適用するようにした場合について述べたが、本発明はこれに限らず、充電については行わず、単なる非水電解液二次電池１の充電状態を検出するだけの検査装置に適用するようにしても良い。
【００５５】
【発明の効果】
上述のように本発明によれば、電池の正極表面及び負極表面に付着した付着物を当該正極表面及び負極表面で第１のプローブ及び第２のプローブを介して発生させる放電現象を利用して物理的に除去し、電池の電極表面における導通状態を一段と改善し得る電極表面導通状態改善装置を実現できる。
【００５６】
また本発明によれば、電池の正極表面及び負極表面に付着した付着物を当該正極表面及び負極表面で第１のプローブ及び第２のプローブを介して発生させる放電現象を利用して物理的に除去し、電池の電極表面における導通状態を改善した状態で、当該第１のプローブ及び第２のプローブを用いて電池を充電することができるので、第１のプローブ及び第２のプローブを放電現象の発生用及び充電用を兼用させた簡易な構成で電池の電極表面における導通状態を一段と改善し得る電池の充電装置を実現することができる。
【００５７】
さらに本発明によれば、電池の正極表面及び負極表面に付着した付着物を当該正極表面及び負極表面で第１のプローブ及び第２のプローブを介して発生させる放電現象を利用して物理的に除去し、電池の電極表面における導通状態を改善した状態で、当該第１のプローブ及び第２のプローブを用いて電池を充電し、その充電状態を検査することができるので、第１のプローブ及び第２のプローブを放電現象の発生用及び充電用を兼用させた簡易な構成で電池の電極表面における導通状態を改善して充電できると共にその後直ちに充電検査を実行し得る電池の充電検査装置を実現することができる。
【図面の簡単な説明】
【図１】本発明における充電検査装置の回路構成を示す略線的ブロック図である。
【図２】電荷蓄積モードの説明に供する略線的ブロック図である。
【図３】スパークモード（１）の説明に供する略線的ブロック図である。
【図４】スパークモード（２）の説明に供する略線的ブロック図である。
【図５】充電モードの説明に供する略線的ブロック図である。
【図６】他の実施の形態における充電検査装置に回路構成（１）を示す略線的ブロック図である。
【図７】他の実施の形態における充電検査装置に回路構成（２）を示す略線的ブロック図である。
【図８】他の実施の形態における充電検査装置に回路構成（３）を示す略線的ブロック図である。
【図９】非水電解液二次電池の構造を示す略線的断面図である。
【符号の説明】
１……非水電解液二次電池、２０、５０、６０、７０……充電検査装置、９……負極缶、１１……正極蓋、２１……電源部、２２……充電用正極プローブ、２３……充電用負極プローブ、２５……第１の電界コンデンサ、２６……第２の電解コンデンサ、２７……スパーク用正極プローブ、２８……スパーク用負極プローブ、２９、５１、６１、７１……第１のリレー、３０、５２、６２、７２……第２のリレー。
【図１】
2004296318.tif 000003
【図２】
2004296318.tif 000004
【図３】
2004296318.tif 000005
【図４】
2004296318.tif 000006
【図５】
2004296318.tif 000007
【図６】
2004296318.tif 000008
【図７】
2004296318.tif 000009
【図８】
2004296318.tif 000010
【図９】
2004296318.tif 000011